(57)【要約】【課題】  ユーザーが撮影しようとする主要被写体に対して、高い精度でＡＦを行うことのできる手段を提供する。【解決手段】  カメラは、発光部と、受光部と、タイマと、被写体距離演算部と、合焦制御部とを備える。発光部は被写体に付した指標体に対して光を照射する。受光部は指標体からの反射光を受光する。タイマは、発光部の発光強度および受光部の受光強度に基づいて、指標体の反射によって発光部の照射光が受光部に戻るまでの反射時間を測定する。被写体距離演算部は、反射時間に基づいて指標を付した被写体との被写体距離を求める。合焦制御部は被写体距離に基づいて合焦制御を実行する。【選択図】  図１
2007304124.tif 000002
【特許請求の範囲】
【請求項１】
被写体に付した指標体に対して光を照射する発光部と、
前記指標体からの反射光を受光する受光部と、
前記発光部の発光強度および前記受光部の受光強度に基づいて、前記指標体の反射によって前記発光部の照射光が前記受光部に戻るまでの反射時間を測定するタイマと、
前記反射時間に基づいて、前記指標を付した被写体との被写体距離を求める被写体距離演算部と、
前記被写体距離に基づいて合焦制御を実行する合焦制御部と、
を備えることを特徴とするカメラ。
【請求項２】
被写体に付した指標体に対して光を照射する発光部と、
撮影レンズを介して前記指標体からの反射光を受光する撮像素子と、
前記指標体のパターンを記録するメモリと、
前記撮像素子の出力に基づいて撮影画面内から前記指標体のパターンを検出する解析部と、
前記撮影画面内での前記指標体のパターンの大きさと前記撮影レンズの焦点距離とに基づいて、前記指標を付した被写体との被写体距離を求める被写体距離演算部と、
前記被写体距離に基づいて合焦制御を実行する合焦制御部と、
を備えることを特徴とするカメラ。
【請求項３】
請求項１または請求項２に記載のカメラにおいて、
前記発光部は前記指標体に対して赤外光を照射することを特徴とするカメラ。
【請求項４】
請求項１または請求項２に記載のカメラにおいて、
前記指標体に光を照射するとともに、前記指標体の反射光に基づいて被写体距離を求めて合焦制御を行う第１撮影モードと、前記第１撮影モードと異なる方法で合焦制御を行う第２撮影モードとを切り替える制御部をさらに備えることを特徴とするカメラ。
【請求項５】
カメラとの被写体距離を測定するために用いられる指標体であって、
前記カメラからの照射光を反射する受光面に複数のコーナーキューブプリズムを配置したことを特徴とする指標体。
【請求項６】
請求項５に記載の指標体において、
前記コーナーキューブプリズムは、２以上の方向において長さの等しい二点間の直線距離を検出可能なパターンで前記受光面上に配置されていることを特徴とする指標体。
【請求項７】
請求項５に記載の指標体において、
カメラのレンズキャップと一体に成形されていることを特徴とする指標体。
【請求項８】
請求項５に記載の指標体において、
カメラのモニタ用カバーと一体に成形されていることを特徴とする指標体。
【請求項９】
請求項５に記載の指標体において、
被写体に取り付けるための取付部をさらに備えることを特徴とする指標体。
【発明の詳細な説明】
【技術分野】
【０００１】
本発明は、指標体の反射光に基づいて被写体距離を求めるカメラとその指標体とに関する。
【背景技術】
【０００２】
例えば、特許文献１に示すように、被写体に照射した赤外光などの反射時間を計測し、この反射時間に基づいてオートフォーカス（ＡＦ）を行うカメラが従来から公知である。
【特許文献１】特開平５−３３３２６０号公報
【発明の開示】
【発明が解決しようとする課題】
【０００３】
しかし、従来のカメラでは、複数の人物がいるシーンにおいてユーザーが撮影しようとする主要被写体を選別してＡＦを行うことが困難である。特に上記のシーンにおいて主要被写体の動きがはげしい場合には、主要被写体を捉えてＡＦを行うことが困難となることが多い。そのため、上記のケースにおいてユーザーの意図に沿った被写体に対してＡＦを行うことのできる手段が要望されていた。
【０００４】
本発明は上記従来技術の課題を解決するためのものであって、その目的は、ユーザーが撮影しようとする主要被写体に対して、高い精度でＡＦを行うことのできる手段を提供することである。
【課題を解決するための手段】
【０００５】
第１の発明に係るカメラは、発光部と、受光部と、タイマと、被写体距離演算部と、合焦制御部とを備える。発光部は被写体に付した指標体に対して光を照射する。受光部は指標体からの反射光を受光する。タイマは、発光部の発光強度および受光部の受光強度に基づいて、指標体の反射によって発光部の照射光が受光部に戻るまでの反射時間を測定する。被写体距離演算部は、反射時間に基づいて指標を付した被写体との被写体距離を求める。合焦制御部は被写体距離に基づいて合焦制御を実行する。
【０００６】
第２の発明に係るカメラは、発光部と、撮像素子と、メモリと、解析部と、被写体距離演算部と、合焦制御部とを備える。発光部は被写体に付した指標体に対して光を照射する。撮像素子は、撮影レンズを介して指標体からの反射光を受光する。メモリは指標体のパターンを記録する。解析部は、撮像素子の出力に基づいて撮影画面内から指標体のパターンを検出する。被写体距離演算部は、撮影画面内での指標体のパターンの大きさと撮影レンズの焦点距離とに基づいて、指標を付した被写体との被写体距離を求める。合焦制御部は被写体距離に基づいて合焦制御を実行する。
【０００７】
第３の発明は、第１または第２の発明において、発光部は指標体に対して赤外光を照射する。
第４の発明は、第１または第２の発明において、カメラは制御部をさらに備える。制御部は、指標体に光を照射するとともに、指標体の反射光に基づいて被写体距離を求めて合焦制御を行う第１撮影モードと、第１撮影モードと異なる方法で合焦制御を行う第２撮影モードとを切り替える。
【０００８】
第５の発明は、カメラとの被写体距離を測定するために用いられる指標体である。指標体は、カメラからの照射光を反射する受光面に複数のコーナーキューブプリズムが配置されている。
第６の発明は、第５の発明において、コーナーキューブプリズムは、２以上の方向において長さの等しい二点間の直線距離を検出可能なパターンで受光面上に配置されている。
【０００９】
第７の発明は、第５の発明において、指標体はカメラのレンズキャップと一体に成形されている。
第８の発明は、第５の発明において、指標体はカメラのモニタ用カバーと一体に成形されている。
第９の発明は、第５の発明において、指標体は被写体に取り付けるための取付部をさらに備える。
【発明の効果】
【００１０】
本発明によれば、指標体を付した被写体からの反射光に基づいて被写体距離を求め、高い精度で主要被写体にＡＦを行うことができる。
【発明を実施するための最良の形態】
【００１１】
以下、図面を参照しつつ、本実施形態のカメラシステムの構成を説明する。図１は本実施形態のカメラシステムでの撮影の概要を示す模式図である。本実施形態のカメラシステムは、指標体１１およびカメラ１２を１組のセットとして使用する。指標体１１はＡＦの対象となる主要被写体（人物など）に撮影前に予め付されるものである。この指標体１１の構成については後述する。また、カメラ１２は指標体１１に対して赤外光を照射するとともに、指標体１１からの反射光に基づいて被写体距離を求めてＡＦを実行する。
【００１２】
図２および図３は本実施形態の指標体１１の一例を示す図である。指標体１１は、カメラ１２から照射された赤外光を受ける平板状の受光面を有している。この受光面には複数のコーナーキューブプリズム１３が配置されている。そのため、指標体１１の受光面でコーナーキューブプリズム１３が配置されている箇所は、カメラ１２からの赤外光を入射方向へほぼそのまま折り返すこととなる。なお、記録用画像の撮影時に指標体１１が可視光を反射して目立ってしまうことを防止するために、コーナーキューブプリズム１３は赤外光を反射する一方で、可視光を反射しない構成であることが好ましい。
【００１３】
なお、本実施形態のカメラシステムでは、第１の手段として、指標体１１のコーナーキューブプリズム１３による反射光の反射時間からカメラ１２が被写体距離を推定する。また、第２の手段として、指標体１１のパターンの実寸法と、撮影画面で検出された指標体１１のパターンのサイズとに基づいてカメラ１２が被写体距離を求める。
図２に指標体１１の受光面におけるコーナーキューブプリズム１３の配列パターンの例を示す。
【００１４】
図２（ａ）の例では、コーナーキューブプリズム１３が受光面に直線状に配置されている。この場合、コーナーキューブプリズム１３による配列の端点間の直線距離（すなわち、コーナーキューブプリズム１３の配列による直線の長さ）をカメラ１２が検出する。
図２（ｂ）の例では、コーナーキューブプリズム１３が受光面上に十字状に配置されている。図２（ｂ）でのコーナーキューブプリズム１３の配列による２つの直線は中央で互いに直交し、各々の直線の長さは同一に設定されている。一般的に撮影画面上で指標体１１に傾きがあると直線の長さを高い精度で検出することが難しくなるが、図２（ｂ）の例では交差する直線の一方の長さを検出すれば足りる。図２（ｂ）の例では、図２（ａ）の例と比べてより高い精度で被写体距離を求めることが可能となる。すなわち、指標体１１の受光面におけるコーナーキューブプリズム１３は、２以上の方向において長さの等しい二点間の直線距離を検出可能なパターンで配置されることが好ましい。
【００１５】
図２（ｃ）の例では、コーナーキューブプリズム１３の配列による４つの直線が４５度ずつずれた状態で受光面上に交差配置されている。図２（ｃ）でのコーナーキューブプリズム１３の配列による４つの直線は中央で交差し、各々の直線の長さは同一に設定されている。この図２（ｃ）の例では、図２（ｂ）の例と比べて、さらにコーナーキューブプリズム１３の配列による直線の長さが検出しやすくなっている。
【００１６】
また、図２（ｄ）の例では、コーナーキューブプリズム１３が円形に敷き詰められて受光面上に配置されている。この場合には、カメラ１２がコーナーキューブプリズム１３の円の直径を検出することで、指標体１１の角度に関わりなく指標体１１のサイズを検出することが可能となる。さらに、図２（ｅ）の例では、コーナーキューブプリズム１３が受光面に円環状に配置されている。この図２（ｅ）の場合でも、カメラ１２がコーナーキューブプリズム１３の円の直径を検出することで、指標体１１の角度に関わりなく指標体１１のサイズを検出することが可能となる。
【００１７】
また、本実施形態の指標体１１は、カメラ１２のレンズキャップやモニタ用カバーと一体に形成されていることが好ましい。指標体１１をカメラ１２のアクセサリと一体にすることで、カメラ１２とともに指標体１１を携帯することが容易となる。また、指標体１１とカメラ１２とを別々に取り扱うことが少なくなるため、指標体１１を紛失しにくくなる効果も期待できる。図３（ａ）は指標体１１をレンズキャップに成形した例を示す図である。図３（ｂ）は指標体１１をモニタ用カバーに形成した例を示す図である。
【００１８】
さらに、指標体１１は、主要被写体への装着を容易にするための取付部１４を有している。例えば、指標体１１の取付部１４は、安全ピンや、クリップや、マジックテープなどで構成される。なお、図３の例では、取付部１４の一例として安全ピンを図示する。
図４は本実施形態のカメラ１２の構成を示すブロック図である。カメラ１２は、ズームレンズ２１と、第１レンズ駆動部２２と、フォーカシングレンズ２３と、第２レンズ駆動部２４と、赤外カットフィルタ２５と、フィルタ駆動部２６と、撮像素子２７と、アナログ処理部２８と、Ａ／Ｄ変換部２９と、デジタル処理部３０と、タイミングジェネレータ（ＴＧ）３１と、バッファメモリ３２と、記録Ｉ／Ｆ３３と、表示Ｉ／Ｆ３４と、モニタ３５と、発光部３６と、受光センサ３７と、操作部３８と、プログラムメモリ３９と、ＣＰＵ４０およびシステムバス４１とを有している。ここで、デジタル処理部３０、バッファメモリ３２、記録Ｉ／Ｆ３３、表示Ｉ／Ｆ３４、プログラムメモリ３９およびＣＰＵ４０はシステムバス４１を介して接続されている。なお、図４に示した要素以外にもカメラ１２の機能を実現するための回路は存在するが、本発明との関係が薄いためこれらの説明は省略する。
【００１９】
ズームレンズ２１は、撮像素子２７に結像する被写体像を拡大、縮小するためのレンズである。また、第１レンズ駆動部２２は、ズームレンズ２１の光軸方向位置を調整するためのモータと、モータを駆動させるドライバと、ズームレンズ２１の位置を検出するエンコーダとを有している。なお、第１レンズ駆動部２２の入出力はＣＰＵ４０に接続されている。
【００２０】
フォーカシングレンズ２３は被写体像の合焦状態を調整するためのレンズである。また、第２レンズ駆動部２４は、フォーカシングレンズ２３の光軸方向位置を調整するためのモータと、モータを駆動させるドライバと、フォーカシングレンズ２３の位置を検出するエンコーダとを有している。なお、第２レンズ駆動部２４の入出力はＣＰＵ４０に接続されている。
【００２１】
赤外カットフィルタ２５はレンズを通過する光束から赤外成分をカットする。この赤外カットフィルタ２５は、撮影光路上の第１位置と、撮影光路から退避した第２位置とをフィルタ駆動部２６の動作によって切り替えることができる。
撮像素子２７は、レンズを通過した光束を光電変換して被写体像のアナログ画像信号を生成する。被写体の撮影を行う撮影モードでは、撮像素子２７は、撮影時に記録用の撮影画像を撮影するとともに、撮影待機時にも所定間隔毎に間引き読み出しを行ってスルー画像を撮影する。上記のスルー画像のデータは、ＣＰＵ４０による各種の演算処理やモニタ３５での表示などに使用される。
【００２２】
アナログ処理部２８は、撮像素子２７の出力にアナログ信号処理を施すアナログフロントエンド回路である。このアナログ処理部２８はＣＤＳ回路やゲイン回路を内部に有している。アナログ処理部２８のＣＤＳ回路は、相関二重サンプリングによって撮像素子２７の出力のノイズ成分を低減する。アナログ処理部２８のゲイン回路は、ＣＰＵ４０の指示に基づいて入力信号の利得を増幅する。上記のゲイン回路では、ＩＳＯ感度に相当する撮像感度の調整を行うことができる。
【００２３】
Ａ／Ｄ変換部２９は、アナログ処理部２８から出力されたアナログの画像信号にＡ／Ｄ変換を行う。このＡ／Ｄ変換部２９の出力はデジタル処理部３０に接続されている。
デジタル処理部３０と、上記の撮影モードにおいて撮影時のデジタル画像信号に各種の画像処理を施して撮影画像を生成する。また、デジタル処理部３０は撮影画像のデータをＪＰＥＧ形式で圧縮する。さらに、デジタル処理部３０は、撮影時においてＣＰＵ４０の指示によりスルー画像の画像信号から表示用画像（ビュー画像）を生成する。
【００２４】
ＴＧ３１は、ＣＰＵ４０の指示に基づいて、撮像素子２７、アナログ処理部２８、Ａ／Ｄ変換部２９に対してタイミングパルスを供給する。撮像素子２７、アナログ処理部２８、Ａ／Ｄ変換部２９の駆動タイミングは、ＴＧ３１のタイミングパルスに応じて制御される。
バッファメモリ３２は、画像処理の前工程や後工程などで画像のデータを一時的に記録する。
【００２５】
記録Ｉ／Ｆ３３には記録媒体４２を接続するためのコネクタが形成されている。そして、記録Ｉ／Ｆ３３は、コネクタに接続された記録媒体４２に対して撮影画像のデータの書き込み／読み込みを実行する。上記の記録媒体４２は、半導体メモリを内蔵したメモリカードや、ハードディスクなどで構成される。なお、図４では記録媒体４２の一例としてメモリカードを図示する。
【００２６】
表示Ｉ／Ｆ３４は、ＣＰＵ４０の指示に基づいてモニタ３５の表示を制御する。モニタ３５は、ＣＰＵ４０および表示Ｉ／Ｆ３４の指示に応じて各種の画像を表示する。本実施形態でのモニタ３５は液晶モニタで構成されている。モニタ３５には、撮影画像の再生画像や、ＧＵＩ(Graphical User Interface)形式の入力が可能なメニュー画面などを表示できる。また、モニタ３５には、デジタル処理部３０のビュー画像に基づいて撮影待機時に被写界の状態を動画表示することも可能である（なお、上記の各画像の図示は省略する）。
【００２７】
発光部３６は指標体１１に対して赤外光を照射するためのユニットである。例えば、発光部３６は、赤外光を発光するＬＥＤと、撮影画角の範囲に赤外光を効率良く照射するためのレンズ部材と、ＬＥＤを制御する発光制御回路とで構成されている。なお、発光部３６はＣＰＵ４０に接続されている。
受光センサ３７は、指標体１１からの反射光を受光するためのセンサである。この受光センサ３７は、発光部３６の波長に対応する赤外光の受光強度を検出する。なお、受光センサ３７はＣＰＵ４０に接続されている。
【００２８】
操作部３８は、レリーズ釦３８ａや操作釦３８ｂなどを有している。操作部３８のレリーズ釦３８ａは露光動作開始の指示入力をユーザーから受け付ける。操作部３８の操作釦３８ｂは、上記のメニュー画面等での入力や、後述する撮影モードの切り換え入力などをユーザーから受け付ける。
プログラムメモリ３９は、カメラ各部を動作させるためのシーケンスプログラムが記録されている。また、プログラムメモリ３９には指標体１１のデータが記録されている。この指標体１１のデータは、指標体１１のコーナーキューブプリズム１３の配列パターンと、配列パターンにおける二点間の直線距離などのサイズに関するデータとを対応付けして記録している。
【００２９】
ＣＰＵ４０は、シーケンスプログラムに従ってカメラ１２の各部動作を制御する。特に本実施形態のＣＰＵ４０は、指標体１１の反射光に基づいてＡＦを行う第１撮影モードと、公知のコントラスト検出方式でのＡＦを行う第２撮影モードとのモード切り替えを実行する。また、本実施形態のＣＰＵ４０は、タイマ４０ａ、解析部４０ｂ、被写体距離演算部４０ｃ、合焦制御部４０ｄとして機能する。
【００３０】
タイマ４０ａは、上記の第１撮影モードにおいて、指標体１１の反射によって発光部３６の照射光が受光部に戻るまでの反射時間を測定する。
解析部４０ｂは、上記の第１撮影モードにおいて、撮像素子２７のスルー画像のデータから指標体１１のパターンを検出する。
被写体距離演算部４０ｃは、上記の第１撮影モードにおいて、タイマ４０ａで測定した反射時間に基づいて被写体距離を演算する。また、被写体距離演算部４０ｃは、上記の第１撮影モードにおいて、解析部４０ｂの検出した指標体１１のパターンのサイズに基づいて被写体距離を演算する。
【００３１】
合焦制御部４０ｄは、上記の第１撮影モードでは、被写体距離演算部４０ｃの演算した被写体距離に基づいてＡＦを実行する。また、合焦制御部４０ｄは、上記の第２撮影モードでは、スルー画像のデータからコントラスト検出方式でのＡＦ演算を実行する。
以下、図５の流れ図を参照しつつ、本実施形態のカメラ１２における第１撮影モードの動作を説明する。なお、この第１撮影モードでは、ピントを合わせたい主要被写体が上記の指標体１１を装着していることを前提として説明を行う。
【００３２】
ステップ１０１：ＣＰＵ４０は、撮像素子２７を駆動させてスルー画像の取得を開始する。撮像素子２７は所定間隔毎に間引き読み出しでスルー画像の画像信号を取得する。デジタル処理部３０はスルー画像のデータに基づいてビュー画像を逐次生成する。そして、撮影待機時のモニタ３５にはビュー画像が動画表示される。したがって、ユーザーはモニタ３５のビュー画像によって、撮影構図を決定するためのフレーミングを行うことができる。なお、Ｓ１０１の段階では、赤外カットフィルタ２５は第１位置にある状態となっている。
【００３３】
ステップ１０２：ＣＰＵ４０はレリーズ釦３８ａが半押しされたか否かを判定する。レリーズ釦３８ａが半押しされた場合（ＹＥＳ側）にはＳ１０３に移行する。一方、レリーズ釦３８ａが半押しされていない場合（ＮＯ側）には、ＣＰＵ４０はレリーズ釦３８ａの半押しを待機する。
ステップ１０３：ＣＰＵ４０は発光部３６に対して赤外光の照射を指示する。そして、発光部３６はＣＰＵ４０の指示に応じて赤外光を発光する。このとき、ＣＰＵ４０のタイマ４０ａは赤外光の発光と同時にタイムカウントを開始する。
【００３４】
ステップ１０４：ＣＰＵ４０のタイマ４０ａは、指標体１１からの反射光を受光部が受光したときにタイムカウントを終了して赤外光の反射時間を測定する。具体的には、発光部３６が照射した赤外光の波長につき、発光部３６からの照射強度と距離に対応した減衰を伴う受光強度を受光部が検出したときに、ＣＰＵ４０は指標体１１からの反射光を受けたものと判定する。本実施形態において指標体１１に照射された赤外光は、コーナーキューブプリズム１３によって、他の被写体からの反射光に比べれば損失が少なくカメラ１２に向けて反射されるためである。ここで、指標体１１を装着した主要被写体の手前に他の被写体が位置する場合には手前の被写体も赤外光を反射する。しかし、この場合にはカメラ１２に反射される赤外光の強度は発光部３６の発光強度と同程度となることはないので、手前の被写体の反射光と指標体１１からの反射光とをＣＰＵ４０は区別できる。
【００３５】
ステップ１０５：ＣＰＵ４０の被写体距離演算部４０ｃは、Ｓ１０４で取得した赤外光の反射時間に基づいて被写体距離を演算する。そして、ＣＰＵ４０の合焦制御部４０ｄは、この被写体距離に基づいてＡＦを実行する。
ステップ１０６：さらに、ＣＰＵ４０は指標体１１のパターンのサイズに基づいてＡＦの微調整を実行する。まず、ＣＰＵ４０はフィルタ駆動部２６を動作させて、赤外カットフィルタ２５を第１位置から第２位置へ移動させる。これにより、撮像素子２７で赤外光成分を多く含む画像を撮影することができるようになる。なお、赤外カットフィルタ２５を移動させた後は、モニタ３５のビュー画像が見苦しくなる可能性がある。そのため、Ｓ１０６の段階で、ＣＰＵ４０は赤外カットフィルタ２５を動かす前の画像を継続してモニタ３５に表示させる等の手段により、ビュー画像の動画表示を一時停止するようにしてもよい。
【００３６】
ステップ１０７：ＣＰＵ４０は発光部３６に対して二度目の赤外光の照射を指示する。そして、発光部３６はＣＰＵ４０の指示に応じて赤外光を発光する。
ステップ１０８：ＣＰＵ４０の解析部４０ｂは、撮像素子２７のスルー画像から、指標体１１のコーナーキューブプリズム１３の反射光による指標体１１のパターンを検出する。具体的には、解析部４０ｂはプログラムメモリ３９の指標体１１のデータに基づいて、パターンマッチング処理によって撮影画面内から指標体１１のパターンを検出する。その後に、解析部４０ｂはスルー画像から検出した指標体１１の配列のサイズを求める。例えば、解析部４０ｂはコーナーキューブプリズム１３による配列の端点間の直線距離の最大値から、指標体１１の配列のサイズを取得する。
【００３７】
ステップ１０９：ＣＰＵ４０の被写体距離演算部４０ｃは、Ｓ１０８で検出した指標体１１の配列パターンのサイズと、指標体１１の配列の実寸法と、ズームレンズ２１の焦点距離とに基づいて被写体距離を演算する。そして、ＣＰＵ４０の合焦制御部４０ｄは、この被写体距離に基づいてＡＦの微調整を行う。
ステップ１１０：ＣＰＵ４０はレリーズ釦３８ａが全押しされたか否かを判定する。レリーズ釦３８ａが全押しされた場合（ＹＥＳ側）にはＳ１１０に移行する。一方、レリーズ釦３８ａが全押しされていない場合（ＮＯ側）には、ＣＰＵ４０はレリーズ釦３８ａの全押しを待機する。
【００３８】
ステップ１１１：ＣＰＵ４０はフィルタ駆動部２６を動作させて、赤外カットフィルタ２５を第２位置から第１位置へ移動させる。
ステップ１１２：ＣＰＵ４０は撮像素子２７を駆動させて被写体像を撮影する。ＣＰＵ４０は、デジタル処理部３０に対して撮影画像のデータの生成を指示する。そして、撮影画像のデータは最終的に記録媒体４２に記録される。以上で一連の撮影動作が終了する。なお、撮影をさら継続する場合には、ＣＰＵ４０はＳ１０２に戻って上記動作を繰り返す。
【００３９】
本実施形態のカメラシステムによれば、指標体１１からの赤外光の反射時間によるＡＦや、指標体１１のパターンのサイズによるＡＦによって、指標体１１を付した主要被写体に対して高い精度でピントを合わせることが可能となる。特に、運動会などにおいて主要被写体の前後に他の被写体が存在して各々の被写体が動いているシーンでも、指標体１１によってカメラ１２が主要被写体を識別してＡＦするので、ユーザーの意図する主要被写体に対して容易にＡＦを行うことができる。
【００４０】
（実施形態の補足事項）
（１）本発明のカメラ１２は、指標体１１からの赤外光の反射時間によるＡＦ（Ｓ１０３〜Ｓ１０５）と、指標体１１のパターンのサイズによるＡＦ（Ｓ１０６〜Ｓ１０９）とのいずれか一方のみを実行するものであってもよい。上記の反射時間によるＡＦを行わない場合には、上記実施形態における受光部の構成を省略することができる。同様に指標体１１のパターンのサイズによるＡＦを行わない場合には、上記実施形態におけるフィルタ駆動部２６の構成を省略することができる。
【００４１】
（２）上記実施形態における指標体１１のコーナーキューブプリズム１３の配置はあくまで一例にすぎず、指標体１１のサイズが検出可能なパターンであれば他の配置に置換することも可能である。例えば、図２（ｂ）または図２（ｃ）の例において、各々の直線の両端のみにコーナーキューブプリズム１３を配置しても端点間の直線距離を検出できるので、上記実施形態とほぼ同様の効果を得ることができる。また、指標体１１の受光面に正三角形をなすようにコーナーキューブプリズム１３を配置しても、上記実施形態とほぼ同様の効果を得ることができる（なお、いずれの例についても図示は省略する）。
【００４２】
（３）上記実施形態ではカメラ１２の発光部３６が指標体１１に赤外光を照射する例を説明したが、赤外光以外の可視光を指標体１１に照射するようにしてもよい。もっとも、可視光による場合には記録用画像の撮影時に指標体１１が可視光を反射して目立ってしまうため、本発明では上記実施形態のように赤外光を指標体１１に照射することがより好ましい。
【図面の簡単な説明】
【００４３】
【図１】本実施形態のカメラシステムでの撮影の概要を示す模式図
【図２】指標体の受光面におけるコーナーキューブプリズムの配列パターンの例を示す図
【図３】（ａ）指標体をレンズキャップに成形した例を示す図、（ｂ）指標体をモニタ用カバーに形成した例を示す図
【図４】本実施形態のカメラの構成を示すブロック図
【図５】本実施形態のカメラにおける第１撮影モードの動作を説明する流れ図
【符号の説明】
【００４４】
１１…指標体、１２…カメラ、１３…コーナーキューブプリズム、１４…取付部、２７…撮像素子、３６…発光部、３７…受光センサ、３８…操作部、３９…プログラムメモリ、４０…ＣＰＵ、４０ａ…タイマ、４０ｂ…解析部、４０ｃ…被写体距離演算部、４０ｄ…合焦制御部
【図１】
2007304124.tif 000003
【図２】
2007304124.tif 000004
【図３】
2007304124.tif 000005
【図４】
2007304124.tif 000006
【図５】
2007304124.tif 000007